(57)【要約】【課題】複数の階調について駆動電流の誤差を抑制する。【解決手段】画素回路ＰXは、発光素子Ｅおよび駆動トランジスタＴDRと、電極ｅ1および電極ｅ2を有する容量Ｃ2とを含む。電極ｅ2は駆動トランジスタＴDRのゲートに接続される。駆動回路２０は、指定階調に応じた階調電位ＶDATAを信号線１４から駆動トランジスタＴDRのゲートに供給し、第１期間Ｐ1にて、階調電位ＶDATAの供給により導通した駆動トランジスタＴDRに電流を流すことで駆動トランジスタＴDRのソースの電位ＶSを増加させ、第２期間Ｐ2にて、ゲートに対する階調電位ＶDATAの供給を停止し、信号線１４から電極ｅ1に階調電位ＶDATAを供給して当該電極ｅ1の電位を変化させることで駆動トランジスタＴDRのゲート−ソース間の電圧ＶGSを増加させる。第２期間Ｐ2にて設定された電圧ＶGSに応じた駆動電流ＩDRが発光素子Ｅに供給される。【選択図】図２
2010286541.tif 000002
【特許請求の範囲】
【請求項１】
画素回路と駆動回路とを具備する発光装置であって、
前記画素回路は、
駆動電流の供給で発光する発光素子と、
前記発光素子に直列に接続された駆動トランジスタと、
第１電極と前記駆動トランジスタのゲートに接続された第２電極とを有する容量とを含み、
前記駆動回路は、
指定階調に応じた階調電位を信号線から前記駆動トランジスタのゲートに供給し、
第１期間において、前記階調電位の供給により導通した駆動トランジスタに電流を流すことで前記駆動トランジスタのソースの電位を増加させ、
前記第１期間の経過後の第２期間において、前記駆動トランジスタのゲートに対する前記階調電位の供給を停止し、前記信号線から前記第１電極に前記階調電位を供給して当該第１電極の電位を変化させることで前記駆動トランジスタのゲート−ソース間の電圧を増加させ、
前記第２期間にて設定された前記駆動トランジスタのゲート−ソース間の電圧に応じた前記駆動電流を前記発光素子に供給する
発光装置。
【請求項２】
前記画素回路は、
基準電位が供給される給電線と前記第１電極との間に配置された第１スイッチと、
前記信号線と前記第１電極との間に配置された第２スイッチとを含み、
前記駆動回路は、前記第１期間において前記第１スイッチをオン状態に制御するとともに前記第２スイッチをオフ状態に制御し、前記第２期間において前記第１スイッチをオフ状態に制御するとともに前記第２スイッチをオン状態に制御する
請求項１の発光装置。
【請求項３】
前記画素回路は、前記駆動トランジスタのゲートと前記信号線との間に配置された選択スイッチを含み、
前記駆動回路は、前記選択スイッチと前記第１スイッチとを共通の走査信号で制御する
請求項２の発光装置。
【請求項４】
前記画素回路は、前記駆動トランジスタのゲートと前記給電線との間に配置された第３スイッチを含み、
前記駆動回路は、前記駆動トランジスタのゲートに対する前記階調電位の供給前の初期化期間において前記第３スイッチをオン状態に制御する
請求項２または請求項３の発光装置。
【請求項５】
前記画素回路は、前記駆動電流の経路上に配置された発光制御スイッチを含み、
前記駆動回路は、前記第１期間において前記発光制御スイッチをオン状態に制御し、前記第２期間において前記発光制御スイッチをオフ状態に制御し、前記第２期間の経過後に前記発光制御スイッチをオン状態に制御する
請求項１から請求項４の何れかの発光装置。
【請求項６】
請求項１から請求項５の何れかの発光装置を具備する電子機器。
【請求項７】
駆動電流の供給で発光する発光素子と、前記発光素子に直列に接続された駆動トランジスタと、第１電極と前記駆動トランジスタのゲートに接続された第２電極とを有する容量とを含む画素回路を具備する発光装置の駆動方法であって、
指定階調に応じた階調電位を信号線から前記駆動トランジスタのゲートに供給し、
第１期間において、前記階調電位の供給により導通した駆動トランジスタに電流を流すことで前記駆動トランジスタのソースの電位を増加させ、
前記第１期間の経過後の第２期間において、前記駆動トランジスタのゲートに対する前記階調電位の供給を停止し、前記信号線から前記第１電極に前記階調電位を供給して当該第１電極の電位を変化させることで前記駆動トランジスタのゲート−ソース間の電圧を増加させ、
前記第２期間にて設定された前記駆動トランジスタのゲート−ソース間の電圧に応じた前記駆動電流を前記発光素子に供給する
発光装置の駆動方法。
【発明の詳細な説明】
【技術分野】
【０００１】
本発明は、有機ＥＬ（Electroluminescence）素子などの発光素子を駆動する技術に関する。
【背景技術】
【０００２】
発光素子に供給される駆動電流の電流量を駆動トランジスタが制御する発光装置においては、駆動トランジスタの電気的な特性の誤差（目標値からの相違や各素子間のバラツキ）が問題となる。特許文献１には、駆動トランジスタのゲート−ソース間に介在する容量の両端間の電圧を、駆動トランジスタの閾値電圧に設定してから指定階調に応じた電圧に変化させることで、駆動トランジスタの閾値電圧や移動度の誤差（ひいては駆動電流の電流量の誤差）を補償する技術が開示されている。
【先行技術文献】
【特許文献】
【０００３】
【特許文献１】特開２００７−３１０３１１号公報
【発明の概要】
【発明が解決しようとする課題】
【０００４】
しかし、駆動トランジスタの特性に起因した駆動電流の誤差が特許文献１の技術のもとで有効に補償されるのは特定の階調が指定された場合に限定され、階調によっては駆動電流の誤差を有効に補償できない場合がある。以上の事情を考慮して、本発明は、駆動トランジスタの特性に起因した駆動電流の誤差を複数の階調について抑制することを目的とする。
【課題を解決するための手段】
【０００５】
以上の課題を解決するために、本発明のひとつの態様に係る発光装置は、画素回路と駆動回路とを具備し、画素回路は、駆動電流の供給で発光する発光素子と、発光素子に直列に接続された駆動トランジスタと、第１電極と駆動トランジスタのゲートに接続された第２電極とを有する容量（例えば各実施形態の容量Ｃ2）とを含み、駆動回路は、指定階調に応じた階調電位を信号線から駆動トランジスタのゲートに供給し、第１期間（例えば各実施形態の第１期間Ｐ1）において、階調電位の供給により導通した駆動トランジスタに電流を流すことで駆動トランジスタのソースの電位を増加させ、第１期間の経過後の第２期間（例えば各実施形態の第２期間Ｐ2）において、駆動トランジスタのゲートに対する階調電位の供給を停止し、信号線から第１電極に階調電位を供給して当該第１電極の電位を変化させることで駆動トランジスタのゲート−ソース間の電圧を増加させ、第２期間にて設定された駆動トランジスタのゲート−ソース間の電圧に応じた駆動電流を発光素子に供給する。
【０００６】
以上の構成においては、第１期間にて駆動トランジスタに電流を流すことで当該駆動トランジスタの移動度がゲート−ソース間の電圧に反映される。すなわち、駆動トランジスタの移動度に起因した駆動トランジスタの電流の誤差が補償される。しかし、第１期間の動作で電流の誤差が有効に補償されるのは特定の階調が指定された場合に限定される。すなわち、第１期間の終点における駆動トランジスタの電流の誤差は階調電位に依存する。そこで、第２期間では、駆動トランジスタのゲート−ソース間の電圧を階調電位に応じて増加させる。以上の構成によれば、第１期間の動作で電流の誤差が有効に補償される階調以外の階調についても、駆動トランジスタに流れる電流の誤差を有効に低減することが可能である。また、第２期間の動作で駆動トランジスタのゲート−ソース間の電圧が増加するから、第２期間の動作を実行しない構成と比較して、駆動電流の電流値（発光素子の輝度）が増加するという利点もある。
【０００７】
また、第２期間では、信号線から第１電極に階調電位を供給することで駆動トランジスタのゲート−ソース間の電圧を増加させるから、例えば、信号線から駆動トランジスタのゲートに供給される電位を変化させることで駆動トランジスタのゲート−ソース間の電圧を増加させる構成と比較して、信号線の電位を設定する動作が簡素化される（信号線に信号を供給する回路に要求される動作の速度が低減される）という利点もある。
【０００８】
本発明の好適な態様において、画素回路は、基準電位が供給される給電線と第１電極との間に配置された第１スイッチ（例えば各実施形態のスイッチＲ1）と、信号線と第１電極との間に配置された第２スイッチ（例えば各実施形態のスイッチＲ2）とを含み、駆動回路は、第１期間において第１スイッチをオン状態に制御するとともに第２スイッチをオフ状態に制御し、第２期間において第１スイッチをオフ状態に制御するとともに第２スイッチをオン状態に制御する。以上の構成によれば、第１期間では第１スイッチを介して第１電極に基準電位が供給され、第２期間では第２スイッチを介して第１電極に階調電位が供給される。したがって、第２期間にける駆動トランジスタのゲート−ソース間の電圧の増加量を基準電位に応じて調整できるという利点がある。
【０００９】
本発明の好適な態様において、画素回路は、駆動トランジスタのゲートと信号線との間に配置された選択スイッチを含み、駆動回路は、選択スイッチと第１スイッチとを共通の走査信号で制御する。以上の態様においては、選択スイッチと第１スイッチとが共通の走査信号で制御されるから、選択スイッチと第１スイッチとの制御に別個の信号を利用する構成と比較して配線数が削減されるという利点がある。
【００１０】
本発明の好適な態様において、画素回路は、駆動トランジスタのゲートと給電線との間に配置された第３スイッチ（例えば各実施形態のスイッチＲ3）を含み、駆動回路は、駆動トランジスタのゲートに対する階調電位の供給前の初期化期間において第３スイッチをオン状態に制御する。以上の態様においては、駆動トランジスタのゲートの電位が初期化期間にて初期化されるから、駆動トランジスタのゲート−ソース間の電圧を高精度に設定することが可能である。また、初期化期間における駆動トランジスタのゲートの電位の設定と、第１期間における第１電極の電位の設定とに共通の基準電位が利用されるから、両者の設定に別個の電位を使用する構成と比較して配線数や電位数が削減されるという利点がある。
【００１１】
本発明の好適な態様において、画素回路は、駆動電流の経路上に配置された発光制御スイッチを含み、駆動回路は、第１期間において発光制御スイッチをオン状態に制御し、第２期間において発光制御スイッチをオフ状態に制御し、第２期間の経過後に発光制御スイッチをオン状態に制御する。以上の態様においては、第２期間にて発光制御スイッチがオフ状態に制御される（駆動トランジスタの電流が遮断される）から、第１電極ので電位の変化に応じて駆動トランジスタのゲート−ソース間の電圧を高精度に設定できるという利点がある。
【００１２】
以上の各態様に係る発光装置は様々な電子機器に利用される。電子機器の典型例は、発光装置を表示装置として利用した機器である。本発明に係る電子機器としてはパーソナルコンピュータや携帯電話機が例示される。もっとも、本発明に係る発光装置の用途は画像の表示に限定されない。例えば、光線の照射によって感光体ドラムなどの像担持体に潜像を形成するための露光装置（光ヘッド）としても本発明の発光装置は利用され得る。
【００１３】
本発明は、発光装置を駆動する方法としても特定される。本発明のひとつの態様に係る駆動方法は、駆動電流の供給で発光する発光素子と、発光素子に直列に接続された駆動トランジスタと、第１電極と駆動トランジスタのゲートに接続された第２電極とを有する容量とを含む画素回路を具備する発光装置の駆動方法であって、指定階調に応じた階調電位を信号線から駆動トランジスタのゲートに供給し、第１期間において、階調電位の供給により導通した駆動トランジスタに電流を流すことで駆動トランジスタのソースの電位を増加させ、第１期間の経過後の第２期間において、駆動トランジスタのゲートに対する階調電位の供給を停止し、信号線から第１電極に階調電位を供給して当該第１電極の電位を変化させることで駆動トランジスタのゲート−ソース間の電圧を増加させ、第２期間にて設定された駆動トランジスタのゲート−ソース間の電圧に応じた駆動電流を発光素子に供給する。以上の駆動方法によれば、本発明に係る発光装置と同様の作用および効果が実現される。
【図面の簡単な説明】
【００１４】
【図１】本発明の第１実施形態に係る発光装置のブロック図である。
【図２】画素回路の回路図である。
【図３】発光装置の動作のタイミングチャートである。
【図４】初期化期間における画素回路の状態を示す回路図である。
【図５】第１補償期間における画素回路の状態を示す回路図である。
【図６】書込期間における画素回路の状態を示す回路図である。
【図７】第２補償期間のうちの第１期間における画素回路の状態を示す回路図である。
【図８】第２補償期間のうちの第２期間における画素回路の状態を示す回路図である。
【図９】駆動期間における画素回路の状態を示す回路図である。
【図１０】階調電位と駆動トランジスタの電流との関係を示すグラフである。
【図１１】第１実施形態の効果を説明するためのグラフである。
【図１２】第１実施形態の効果を説明するためのグラフである。
【図１３】第２実施形態における画素回路の回路図である。
【図１４】第３実施形態における画素回路の回路図である。
【図１５】第３実施形態の動作のタイミングチャートである。
【図１６】変形例に係る画素回路の部分的な回路図である。
【図１７】電子機器（パーソナルコンピュータ）の斜視図である。
【図１８】電子機器（携帯電話機）の斜視図である。
【図１９】電子機器（携帯情報端末）の斜視図である。
【発明を実施するための形態】
【００１５】
＜Ａ：第１実施形態＞
図１は、本発明の第１実施形態に係る発光装置１００のブロック図である。発光装置１００は、画像を表示する表示体として電子機器に搭載される。図１に示すように、発光装置１００は、複数の画素回路ＰXが配列された素子部（表示領域）１０と、各画素回路ＰXの駆動で素子部１０に画像を表示する駆動回路２０とを具備する。駆動回路２０は、走査線駆動回路２２と信号線駆動回路２４と電位生成回路２６とを含んで構成される。図１に示すように、電位生成回路２６は、複数の電位（ＶDD，ＶSS，ＶREF，ＶRS1，ＶRS2）を生成して各画素回路ＰXに供給する。なお、駆動回路２０は、複数の集積回路（チップ）で構成され得る。
【００１６】
素子部１０には、Ｘ方向に延在するＭ組の配線群１２と、Ｘ方向に交差するＹ方向に延在するＮ本の信号線（データ線）１４とが形成される（Ｍ，Ｎは自然数）。複数の画素回路ＰXは、各配線群１２と各信号線１４との交差に対応して縦Ｍ行×横Ｎ列の行列状に配列される。
【００１７】
図２は、各画素回路ＰXの回路図である。図２においては、第ｍ行（ｍ＝１〜Ｍ）の第ｎ列（ｎ＝１〜Ｎ）に位置する１個の画素回路ＰXが代表的に図示されている。図２に示すように、画素回路ＰXは、発光素子Ｅと駆動トランジスタＴDRと容量Ｃ1と容量Ｃ2と複数のスイッチ（ＱEL，ＱWR，Ｒ1〜Ｒ4）とを含んで構成される。図１において１本の直線として図示された配線群１２は、図２に示すように、走査線１２２と発光制御線１２４と複数の制御線（１３２，１３４，１３６，１３８）とを含んで構成される。
【００１８】
発光素子Ｅは、電位線３１と電位線３３とを結ぶ経路上に配置され、駆動電流ＩDRの電流値に応じた輝度で発光する。例えば、有機ＥＬ材料の発光層を陽極と陰極との間に介在させた有機ＥＬ素子が発光素子Ｅとして好適に採用される。電位線３１には電位生成回路２６から高位側電位ＶDDが供給され、高位側電位ＶDDよりも低い低位側電位ＶSSが電位生成回路２６から電位線３３に供給される。発光素子Ｅの陰極は電位線３３に接続される。図２に示すように、発光素子Ｅには容量Ｃ0（容量値ｃp0）が付随する。
【００１９】
駆動トランジスタＴDRは、電位線３１と電位線３３とを結ぶ経路上で発光素子Ｅに対して直列に接続されたＮチャネル型のトランジスタ（例えば薄膜トランジスタ）である。駆動トランジスタＴDRは、自身のゲートの電位ＶGとソースの電位ＶSとの差分の電圧ＶGS（ＶGS＝ＶG−ＶS）に応じた電流値の駆動電流ＩDRを生成する。駆動トランジスタＴDRのソースが発光素子Ｅの陽極に接続される。
【００２０】
駆動トランジスタＴDRのゲートと第ｎ列の信号線１４との間には選択スイッチＱWRが介在する。第ｍ行の各画素回路ＰXにおける選択スイッチＱWRのゲートは第ｍ行の走査線１２２に接続される。また、駆動トランジスタＴDRのドレインと電位線３１との間には発光制御スイッチＱELが介在する。発光制御スイッチＱELは、駆動トランジスタＴDRに電流（例えば駆動電流ＩDR）を流すか否かを制御するＰチャネル型のトランジスタである。第ｍ行の各画素回路ＰXにおける発光制御スイッチＱELのゲートは第ｍ行の発光制御線１２４に接続される。
【００２１】
駆動トランジスタＴDRのゲートとソース（発光素子Ｅの陽極）との間には容量Ｃ1（容量値ｃp1）が介在する。また、駆動トランジスタＴDRのソースと給電線３９との間にはスイッチＲ4が介在する。給電線３９には電位生成回路２６から初期化電位ＶRS2が供給される。第ｍ行の各画素回路ＰXにおけるスイッチＲ4のゲートは第ｍ行の制御線１３８に接続される。
【００２２】
容量Ｃ2（容量値ｃp2）は、電極ｅ1と電極ｅ2との間に誘電体（図示略）を介在させた容量素子である。電極ｅ2は駆動トランジスタＴDRのゲートに接続される。電極ｅ1と給電線３５との間にはスイッチＲ1が介在する。給電線３５には電位生成回路２６から基準電位ＶREFが供給される。第ｍ行の各画素回路ＰXにおけるスイッチＲ1のゲートは第ｍ行の制御線１３２に接続される。
【００２３】
電極ｅ1と第ｎ列の信号線１４との間にはスイッチＲ2が介在する。第ｍ行の各画素回路ＰXにおけるスイッチＲ2のゲートは第ｍ行の制御線１３４に接続される。また、駆動トランジスタＴDRのゲート（電極ｅ2）と給電線３７との間にはスイッチＲ3が介在する。給電線３７には電位生成回路２６から初期化電位ＶRS1が供給される。第ｍ行の各画素回路ＰXにおけるスイッチＲ3のゲートは第ｍ行の制御線１３６に接続される。
【００２４】
図１の走査線駆動回路２２は、複数の画素回路ＰXを行単位で順次に走査（選択）するための走査信号ＧWR[1]〜ＧWR[M]を生成して各走査線１２２に出力する。図３に示すように、第ｍ行の走査線１２２に出力される走査信号ＧWR[m]は、各垂直走査期間における第ｍ番目の水平走査期間Ｈ[m]内にてハイレベルに設定される。また、走査線駆動回路２２は、発光制御信号ＧEL[1]〜ＧEL[M]と制御信号ＧA[1]〜ＧA[M]と制御信号ＧB[1]〜ＧB[M]と制御信号ＧC[1]〜ＧC[M]と制御信号ＧD[1]〜ＧD[M]とを生成して出力する。図２に示すように、発光制御信号ＧEL[m]は第ｍ行の発光制御線１２４に供給される。また、制御信号ＧA[m]は第ｍ行の制御線１３２に供給され、制御信号ＧB[m]は第ｍ行の制御線１３４に供給され、制御信号ＧC[m]は第ｍ行の制御線１３６に供給され、制御信号ＧD[m]は第ｍ行の制御線１３８に供給される。
【００２５】
図１の信号線駆動回路２４は、各画素回路ＰXに指定された階調（指定階調）に応じた階調電位（データ信号）ＶDATAを生成して各信号線１４に出力する。水平走査期間Ｈ[m]内に第ｎ列の信号線１４に供給される階調電位ＶDATA（図３参照）は、第ｍ行の第ｎ列に位置する画素回路ＰXの指定階調に応じた電位に設定される。各画素回路ＰXの指定階調は、外部装置（図示略）から供給される画像信号で指示される。
【００２６】
図３に示すように、水平走査期間Ｈ[m]の開始前には初期化期間ＰRSと第１補償期間ＰCaとが設定される。駆動トランジスタＴDRのゲート−ソース間の電圧ＶGSは、初期化期間ＰRSにて所定の電圧に初期化され、初期化期間ＰRSの経過後の第１補償期間ＰCaにて駆動トランジスタＴDRの閾値電圧ＶTHに漸近する。図３に示すように、水平走査期間Ｈ[m]は、書込期間ＰWRと第２補償期間ＰCbとを含んで構成される。駆動トランジスタＴDRの電圧ＶGSは、書込期間ＰWRにて階調電位ＶDATA（指定階調）に応じた電圧ＶGS0に設定され、第２補償期間ＰCbにて駆動トランジスタＴDRの移動度μに応じた電圧ＶGS2に設定される。第２補償期間ＰCbは、第１期間Ｐ1と第２期間Ｐ2とに区分される。また、水平走査期間Ｈ[m]の経過後の発光期間ＰDRでは、駆動トランジスタＴDRの電圧ＶGS（ＶGS2）に応じた駆動電流ＩDRが発光素子Ｅに供給される。第ｍ行の第ｎ列に位置する画素回路ＰXに着目して各期間での具体的な動作を以下に説明する。
【００２７】
（１）初期化期間ＰRS（図４）  
図３および図４に示すように、初期化期間ＰRSにおいては、制御信号ＧC[m]と制御信号ＧD[m]と発光制御信号ＧEL[m]とがハイレベルに設定され、走査信号ＧWR[m]と制御信号ＧA[m]と制御信号ＧB[m]とがローレベルに設定される。すなわち、図４に示すように、スイッチＲ3とスイッチＲ4とがオン状態に制御され、選択スイッチＱWRとスイッチＲ1とスイッチＲ2と発光制御スイッチＱELとがオフ状態に制御される。したがって、駆動トランジスタＴDRのゲートの電位ＶGはスイッチＲ3を介して給電線３７の初期化電位ＶRS1に設定され、駆動トランジスタＴDRのソースの電位ＶSはスイッチＲ4を介して給電線３９の初期化電位ＶRS2に設定される。以上のように、駆動トランジスタＴDRの電圧ＶGSは、初期化電位ＶRS1と初期化電位ＶRS2との差分（ＶRS1−ＶRS2）に初期化される。
【００２８】
初期化電位ＶRS1および初期化電位ＶRS2は、以下の数式(1)のように両者の差分（電圧ＶGS）が駆動トランジスタＴDRの閾値電圧ＶTHを上回り、かつ、数式(2)のように発光素子Ｅの両端間の電圧（ＶRS2−ＶSS）が発光素子Ｅの閾値電圧ＶTH_Eを下回るように設定される。したがって、初期化期間ＰRSでは、駆動トランジスタＴDRがオン状態に制御されるとともに発光素子Ｅがオフ状態（非発光状態）に制御される。
ＶRS1−ＶRS2＞ＶTH  ……(1)
ＶRS2−ＶSS＜ＶTH_E  ……(2)
【００２９】
（２）第１補償期間ＰCa（図５）
図３および図５に示すように、第１補償期間ＰCaにおいては、制御信号ＧD[m]および発光制御信号ＧEL[m]がローレベルに変化する。したがって、図５に示すように、初期化期間ＰRSの状態から、スイッチＲ4がオフ状態に遷移する（すなわち、駆動トランジスタＴDRのソースに対する初期化電位ＶRS2の供給が停止する）とともに発光制御スイッチＱELがオン状態に遷移する。駆動トランジスタＴDRは初期化期間ＰRSにてオン状態に遷移しているから、第１補償期間ＰCaでは、電位線３１から発光制御スイッチＱELを経由した電流ＩDSが駆動トランジスタＴDRのドレイン−ソース間に流れる。
【００３０】
駆動トランジスタＴDRに電流ＩDSが流れることで容量Ｃ0および容量Ｃ1に電荷が充電される。したがって、図３に示すように駆動トランジスタＴDRのソースの電位ＶSは経時的に上昇する。駆動トランジスタＴDRのゲートの電位ＶGは初期化期間ＰRSから引続き初期化電位ＶRS1に維持されるから、駆動トランジスタＴDRのゲート−ソース間の電圧ＶGSは、第１補償期間ＰCa内において徐々に低下して閾値電圧ＶTHに漸近する。第１補償期間ＰCaの時間長は、駆動トランジスタＴDRの電圧ＶGSが第１補償期間ＰCaの終点にて閾値電圧ＶTHに充分に接近する（理想的には合致する）ように設定される。したがって、駆動トランジスタＴDRは、第１補償期間ＰCaの終点で殆どオフ状態となる。
【００３１】
図３に示すように、発光制御信号ＧEL[m]がハイレベルに変化して発光制御スイッチＱELがオフ状態に遷移する（電流ＩDSが遮断される）ことで第１補償期間ＰCaが終了する。また、書込期間ＰWRの開始前（図３では第１補償期間ＰCaの終点）に、制御信号ＧC[m]がローレベルに変化することでスイッチＲ3がオフ状態に遷移する。すなわち、駆動トランジスタＴDRのゲートに対する初期化電位ＶRS1の供給が停止する。
【００３２】
（３）書込期間ＰWR（図６）  
図３に示すように、第１補償期間ＰCaの経過後の水平走査期間Ｈ[m]（書込期間ＰWRおよび第２補償期間ＰCb）では、信号線１４の電位が、第ｍ行の第ｎ列に位置する画素回路ＰXの指定階調に応じた階調電位ＶDATAに維持される。他方、図３および図６に示すように、書込期間ＰWRでは、走査信号ＧWR[m]がハイレベルに変化することで選択スイッチＱWRがオン状態に遷移する。したがって、駆動トランジスタＴDRのゲートの電位ＶGは、第１補償期間ＰCaにて供給されていた初期化電位ＶRS1から信号線１４の階調電位ＶDATAに変化する。容量Ｃ1を介して駆動トランジスタＴDRのゲートに結合するソースは書込期間ＰWRにて電気的なフローティング状態にあるから、図３に示すように、駆動トランジスタＴDRのソースの電位ＶSは、ゲートの電位ＶGに連動して変化（上昇）する。書込期間ＰWRにおける電位ＶSの変化量は、電位ＶGの変化量ΔＶ0（ΔＶ0＝ＶDATA−ＶRS1）を容量Ｃ0と容量Ｃ1との容量比に応じて分割した電圧（ΔＶ0・ｃp1／(ｃp0＋ｃp1)）に相当する。したがって、駆動トランジスタＴDRの電圧ＶGSは、書込期間ＰWRにて以下の数式(3)の電圧ＶGS0に設定される。
ＶGS0＝ＶTH＋ΔＶ0・ｃp0／(ｃp0＋ｃp1)
＝ＶTH＋ｋ・ΔＶ0  ……(3)    （ｋ＝ｃp0／(ｃp0＋ｃp1)）
【００３３】
以上の説明から理解されるように電位ＶSの変化量は電位ＶGの変化量を下回るから、階調電位ＶDATAの供給後における駆動トランジスタＴDRの電圧ＶGSは、第１補償期間ＰCaでの設定後の電圧（閾値電圧ＶTH）を上回る。したがって、駆動トランジスタＴDRはオン状態となる。ただし、書込期間ＰWR内では発光制御スイッチＱELがオフ状態を維持するから、駆動トランジスタＴDRに電流ＩDSは流れない。
【００３４】
また、図３および図６に示すように、書込期間ＰWRでは、制御信号ＧA[m]がハイレベルに変化することでスイッチＲ1がオン状態に遷移する。すなわち、容量Ｃ2の電極ｅ1と給電線３５とが導通する。したがって、図３および図６に示すように、電極ｅ1の電位ＶCは給電線３５の基準電位ＶREFに設定される。
【００３５】
（３a）第２補償期間ＰCb（第１期間Ｐ1）
第２補償期間ＰCbの第１期間Ｐ1では、図３および図７に示すように、書込期間ＰWRの状態から、発光制御信号ＧEL[m]がローレベルに変化することで発光制御スイッチＱELがオン状態に遷移する。駆動トランジスタＴDRは書込期間ＰWRにてオン状態に遷移しているから、第１期間Ｐ1では、第１補償期間ＰCaと同様に、駆動トランジスタＴDRのドレイン−ソース間に電流ＩDSが流れる。したがって、電流ＩDSによる容量Ｃ0および容量Ｃ1の充電とともに駆動トランジスタＴDRのソースの電位ＶS（容量Ｃ0の両端間の電圧）は徐々に上昇する。
【００３６】
他方、選択スイッチＱWRは第１期間Ｐ1でもオン状態に設定されるから、駆動トランジスタＴDRのゲートの電位ＶGは、書込期間ＰWRから引続き信号線１４の階調電位ＶDATAに維持される。したがって、駆動トランジスタＴDRのゲート−ソース間の電圧ＶGSは、書込期間ＰWRでの設定後の電圧ＶGS0から、電流ＩDSによる電位ＶSの増加とともに低下する。
【００３７】
発光制御信号ＧEL[m]がハイレベルに変化して発光制御スイッチＱELがオフ状態に遷移する（電流ＩDSが遮断される）ことで第１期間Ｐ1が終了する。図３に示すように、第１期間Ｐ1の終点では、駆動トランジスタＴDRの電圧ＶGSは、数式(3)の電圧ＶGS0と比較して電圧ΔＶ1だけ低い数式(4)の電圧ＶGS1に設定される。電圧ΔＶ1は、第１期間Ｐ1内での電位ＶSの増加量に相当する。電圧ΔＶ1（第１期間Ｐ1における電圧ＶGSの変化量）は、駆動トランジスタＴDRの移動度μに依存する。すなわち、駆動トランジスタＴDRの移動度μが大きいほど電圧ΔＶ1は増加する。
ＶGS1＝ＶGS0−ΔＶ1
＝ＶTH＋ｋ・ΔＶ0−ΔＶ1
＝ＶTH＋ＶA  ……(4)    （ＶA＝ｋ・ΔＶ0−ΔＶ1）
【００３８】
（３b）第２補償期間ＰCb（第２期間Ｐ2）  
第２補償期間ＰCbの第２期間Ｐ2では、図３および図８に示すように、走査信号ＧWR[m]および制御信号ＧA[m]がローレベルに変化することで選択スイッチＱWRとスイッチＲ1とがオフ状態に遷移する。したがって、駆動トランジスタＴDRのゲートに対する階調電位ＶDATAの供給と、容量Ｃ2の電極ｅ1に対する基準電位ＶREFの供給とが停止する。
【００３９】
そして、第２期間Ｐ2では、図８に示すように、制御信号ＧB[m]がハイレベルに設定されることでスイッチＲ2がオン状態に遷移する。すなわち、容量Ｃ2の電極ｅ1の接続先が給電線３５から信号線１４に変化する。したがって、電極ｅ1の電位ＶCは、図３に示すように、第１期間Ｐ1で供給されていた基準電位ＶREFから信号線１４の階調電位ＶDATAに変化する。他方、選択スイッチＱWRとスイッチＲ3とがオフ状態に設定されることで電極ｅ2は電気的なフローティング状態にあるから、図３に示すように、駆動トランジスタＴDRのゲート（電極ｅ2）の電位ＶGは、電極ｅ1の電位ＶCに連動して変化（上昇）する。
【００４０】
第２期間Ｐ2における電位ＶGの変化量（以下「オフセット電圧」という）ＶOFは、以下の数式(5)に示すように、電位ＶCの変化量ΔＶ2（ΔＶ2＝ＶDATA−ＶREF）を、容量Ｃ0および容量Ｃ1の合成容量（容量値ｃp）と容量Ｃ2との容量比に応じて分割した電圧に相当する。
ＶOF＝ΔＶ2・ｃp2／（ｃp＋ｃp2）  ……(5)
【００４１】
他方、駆動トランジスタＴDRのソースは第２期間Ｐ2にて電気的なフローティング状態にあるから、駆動トランジスタＴDRのソースの電位ＶSは、図３に示すように電位ＶGに連動して変化（上昇）する。第２期間Ｐ2での電位ＶSの変化量は、ゲートの電位ＶGの変化量（オフセット電圧ＶOF）を容量Ｃ0と容量Ｃ1との容量比に応じて分割した電圧（ＶOF・ｃp1／(ｃp0＋ｃp1)）に相当する。したがって、駆動トランジスタＴDRの電圧ＶGSは、第２期間Ｐ2にて以下の数式(6)の電圧ＶGS2に設定される。
ＶGS2＝ＶTH＋ＶA＋ｋ・ＶOF
＝ＶTH＋ＶA＋ＶB  ……(6)  （ＶB＝ｋ・ＶOF）
【００４２】
数式(6)に示すように、第２期間Ｐ2での設定後の電圧ＶGS2は、第１期間Ｐ1での電圧ＶGS1を変化量ＶBだけ変化（増加）させた電圧に相当する。第２期間Ｐ2における電位ＶSの変化量は電位ＶGの変化量ＶOFを下回る（ＶB＞０）から、第２期間Ｐ2で設定された電圧ＶGS2は、第１期間Ｐ1での電圧ＶGS1を上回る。図３に示すように、制御信号ＧB[m]がローレベルに変化してスイッチＲ2がオフ状態に遷移する（電極ｅ1に対する階調電位ＶDATAの供給が停止する）ことで第２期間Ｐ2が終了する。
【００４３】
（４）発光期間ＰDR  
発光期間ＰDRでは、図３および図９に示すように、発光制御信号ＧEL[m]がローレベルに設定されることで発光制御スイッチＱELがオン状態に遷移する。したがって、駆動トランジスタＴDRのドレイン−ソース間に電流ＩDSが流れ、電流ＩDSにより容量Ｃ0および容量Ｃ1が充電されることで駆動トランジスタＴDRのソースの電位ＶSが上昇する。選択スイッチＱWRおよびスイッチＲ3がオフ状態に維持されることで駆動トランジスタＴDRのゲートは電気的なフローティング状態にあるから、図３に示すように、駆動トランジスタＴDRの電圧ＶGSが第２期間Ｐ2の終点での電圧ＶGS2に維持されたまま、容量Ｃ0の両端間の電圧（駆動トランジスタＴDRのソースの電位ＶS）が経時的に増加する（ブートストラップ動作）。
【００４４】
そして、容量Ｃ0の両端間の電圧が発光素子Ｅの閾値電圧ＶTH_Eに到達すると、駆動トランジスタＴDRの電圧ＶGS（ＶGS2）に応じた電流値の電流ＩDSが駆動電流ＩDRとして発光素子Ｅを流れる。以上のように、駆動電流ＩDRは、階調電位ＶDATAを反映した電圧ＶGS2に応じた電流値に設定されるから、発光素子Ｅは階調電位ＶDATAに応じた輝度で発光する。発光素子Ｅの発光は、第ｍ行の次回の初期化期間ＰRSの始点にて発光制御信号ＧEL[m]がハイレベルに変化するまで継続する。
【００４５】
次に、第２期間Ｐ2にて駆動トランジスタＴDRのゲート−ソース間の電圧ＶGSを変化量ＶBだけ増加させる動作（数式(6)）による効果を説明する。なお、以下では、第２期間Ｐ2を省略した構成（以下「対比例１」という）を第１実施形態との対比のために例示する。対比例１では、第１期間Ｐ1にて設定された電圧ＶGS1が発光期間ＰDRでも維持されて駆動電流ＩDRの電流値の設定に適用される。
【００４６】
図１０の部分(A)は、第１期間Ｐ1における電流ＩDS（縦軸）の経時的な変化を示すグラフである。駆動トランジスタＴDR_Aおよび駆動トランジスタＴDR_Bに流れる電流ＩDSの変化が、階調電位ＶDATAを変化させた複数の場合について図示されている（ＶDATA_1＜ＶDATA_2＜ＶDATA_3）。駆動トランジスタＴDR_Aの移動度μは駆動トランジスタＴDR_Bの移動度μよりも高い。また、図１０の部分(A)の横軸には、第１期間Ｐ1の時間が併記されている。第１期間Ｐ1では駆動トランジスタＴDRの電圧ＶGSが徐々に低下するから、図１０の部分(A)に示すようにドレイン−ソース間の電流ＩDSは経時的に減少する。
【００４７】
図１０の部分(A)から理解されるように、移動度μが高いほど第１期間Ｐ1内での電流ＩDSの時間的な変化率（変化の速度）は高い。また、電流ＩDSは階調電位ＶDATAに応じて設定されるから、第１期間Ｐ1内にて駆動トランジスタＴDR_Aの電流ＩDSと駆動トランジスタＴDR_Bの電流ＩDSとが合致する時点は、階調電位ＶDATAに応じて相違する。例えば、階調電位ＶDATA_1の場合には時点ｔ1（第１期間Ｐ1の終点）にて駆動トランジスタＴDR_Aの電流ＩDSと駆動トランジスタＴDR_Bの電流ＩDSとが合致するのに対し、階調電位ＶDATA_2の場合には時点ｔ1の到来前の時点ｔ2にて両者が合致し、階調電位ＶDATA_3の場合には時点ｔ2の到来前の時点ｔ3にて両者が合致する。
【００４８】
したがって、第２期間Ｐ2を省略した対比例１のもとでは、駆動トランジスタＴDRの移動度μに起因した電流ＩDS（駆動電流ＩDR）の誤差を有効に補償できるのが特定の階調の指定時に限定されるという問題がある。例えば、図１０の部分(A)から理解されるように、階調電位ＶDATA_1に対応する階調が指定された場合には、駆動トランジスタＴDR_Aと駆動トランジスタＴDR_Bとの移動度μの相違に起因した電流ＩDSの誤差を補償することが可能である。しかし、階調電位ＶDATA_2や階調電位ＶDATA_3に対応する階調が指定された場合には、駆動トランジスタＴDR_Aの電流ＩDSと駆動トランジスタＴDR_Bの電流ＩDSとが第１期間Ｐ1の終点にて相違する。すなわち、移動度μの相違は有効に補償されない。図１０の部分(A)に示すように、基本的には、階調電位ＶDATAが高いほど、第１期間Ｐ1の終点における電流ＩDSの電流値の相違δが大きいという傾向がある。
【００４９】
そこで、第１実施形態では、第１期間Ｐ1の経過後の第２期間Ｐ2において駆動トランジスタＴDRの電圧ＶGSを変化量ＶBだけ増加させる（ＶGS1→ＶGS2）ことで電流ＩDSを増加させる。図１０の部分(B)は、変化量ＶB（横軸）と電流ＩDS（縦軸）との関係を示すグラフである。変化量ＶBがゼロである場合の電流ＩDSが、第１期間Ｐ1の終点における各駆動トランジスタＴDR（ＴDR_A，ＴDR_B）の電流ＩDS（すなわち、対比例１での駆動電流ＩDR）に相当する。
【００５０】
移動度μが高い駆動トランジスタＴDRほど第１期間Ｐ1内における電流ＩDSの変化率が高いから、階調電位ＶDATAが共通するならば、移動度μが高い駆動トランジスタＴDRほど第１期間Ｐ1の終点での電流ＩDSは小さい。他方、駆動トランジスタＴDRの電圧ＶGSが上昇すると電流ＩDSは増加する。具体的には、図１０の部分(B)から理解されるように、移動度μが高いほど、電圧ＶGSの上昇（変化量ＶB）に対して電流ＩDSが増加し易いという傾向がある。すなわち、移動度μが高い駆動トランジスタＴDR_Aにおいては、第１期間Ｐ1の終点での電流ＩDSは駆動トランジスタＴDR_Bの電流ＩDSを下回るが、第２期間Ｐ2にて電圧ＶGSを上昇させたときの電流ＩDSの増加量は駆動トランジスタＴDR_Bの電流ＩDSの増加量を上回る。すなわち、第１期間Ｐ1の終点での電流ＩDSの相違δは、第２期間Ｐ2にて電圧ＶGSを増加させることで低減される。
【００５１】
そして、前述のように階調電位ＶDATAが高いほど第１期間Ｐ1の終点における電流ＩDSの相違δは増加するから、階調電位ＶDATAに応じて変化量ＶBを可変に設定すれば、移動度μに起因した電流ＩDSの相違を、複数の階調について有効に補償できることが理解される。図１０の部分(B)に示すように、電圧ＶGSの変化量ＶBが大きいほど電流ＩDSの変化量も大きいという傾向がある。したがって、階調電位ＶDATAが高いほど（すなわち、第１期間Ｐ1の終点での電流ＩDSの相違δが大きいほど）、第２期間Ｐ2内での電圧ＶGSの変化量ＶBを大きく設定すれば、複数の階調にわたって電流ＩDSの誤差を低減することが可能である。例えば、図１０の部分(B)に示すように、階調電位ＶDATA_2の場合には変化量ＶBを電圧ＶB_2に設定し、階調電位ＶDATA_3の場合には変化量ＶBを電圧ＶB_3に設定するといった具合である。
【００５２】
以上の傾向を考慮して、第１実施形態では、階調電位ＶDATAに応じた変化量ＶBだけ第２期間Ｐ2にて駆動トランジスタＴDRの電圧ＶGSを増加させる構成を採用する。すなわち、階調電位ＶDATAが高いほど第２期間Ｐ2における電圧ＶGSの変化量ＶBは高い電圧に設定される。したがって、第１実施形態によれば、駆動トランジスタＴDRの移動度μに起因した駆動電流ＩDRの誤差を複数の階調にわたって有効に補償できるという利点がある。
【００５３】
図１１は、駆動トランジスタＴDRの移動度μの誤差が±20％である場合に、駆動電流ＩDRの目標値（横軸）と実際の駆動電流ＩDRの誤差（ばらつき）とを実測した結果を対比例１と第１実施形態とについて示すグラフである。縦軸の誤差（％）は、実際の駆動電流ＩDRの電流値の最大値と最小値との相対比を示す指標値である。図１１から把握されるように、第１期間Ｐ1の経過後に電圧ＶGSが変化しない対比例１では特定の階調（駆動電流ＩDR）の指定時のみに駆動電流ＩDRの誤差が低減されるのに対し、第２期間Ｐ2にて電圧ＶGSを変化量ＶBだけ変化させる第１実施形態によれば、階調の広い範囲にわたって駆動電流ＩDRの誤差が低減される。
【００５４】
なお、数式(5)から理解されるように、第２期間Ｐ2における電圧ＶGSの変化量ＶBの基礎となるオフセット電圧ＶOFは、容量Ｃ0〜Ｃ2の各々の容量値（ｃp0，ｃp1，ｃp2）に応じて設定される。したがって、各画素回路ＰXにおける駆動電流ＩDRの相違が階調の広い範囲にわたって有効に低減されるように、容量値（ｃp0，ｃp1，ｃp2）が実験的または解析的に選定される。
【００５５】
次に、図１２は、階調電位ＶDATA（横軸）と駆動電流ＩDR（縦軸）との関係を対比例１および第１実施形態について示すグラフである。第１期間Ｐ1では、直前の書込期間ＰWRにて電圧ＶGS0に設定された電圧ＶGSが電圧ＶGS1に低下する。したがって、第１期間Ｐ1で設定された電圧ＶGS1が発光期間ＰDRでも維持される対比例１においては、駆動電流ＩDRの電流値（上限値）が所定の範囲に制限される（さらには発光素子Ｅの輝度が不足する）可能性がある。他方、第１実施形態においては、第１期間Ｐ1の経過後に電圧ＶGSが増加する（ＶGS1→ＶGS2）から、図１２に示すように、各階調電位ＶDATAに対応した駆動電流ＩDRの電流値は対比例と比較して大きい。したがって、発光素子Ｅの輝度を充分に確保できるという利点がある。
【００５６】
ところで、第２期間Ｐ2にて駆動トランジスタＴDRの電圧ＶGSを変化量ＶBだけ変化させる構成として、例えば、信号線１４から駆動トランジスタＴDRのゲートに供給される電位を、第２期間Ｐ2にてオフセット電圧ＶOFだけ増加させる構成（以下「対比例２」という）も採用され得る。具体的には、選択スイッチＱWRを第１期間Ｐ1から引続き第２期間Ｐ2でもオン状態に維持するとともに、信号線駆動回路２４から信号線１４に供給される電位を、第１期間Ｐ1での階調電位ＶDATAから第２期間Ｐ2にて指定階調に応じたオフセット電圧ＶOFだけ増加させる。対比例２においても、駆動トランジスタＴDRの電圧ＶGSが第２期間Ｐ2の始点にて指定階調（階調電位ＶDATA）に応じた変化量ＶBだけ増加するから、複数の階調について駆動電流ＩDRの誤差を抑制するという第１実施形態と同様の効果が実現される。
【００５７】
ただし、対比例２においては、信号線１４の電位を階調電位ＶDATAに設定する動作と階調電位ＶDATAからオフセット電圧ＶOFだけ増加させる動作とを水平走査期間Ｈ[m]毎に実行する必要があるから、信号線駆動回路２４に高速な動作が要求される。したがって、信号線駆動回路２４の構成が複雑化するとともにコストが増大するという問題がある。画像の高精細化（画素回路ＰXの増加）のためには水平走査期間Ｈ[m]の時間を短縮することが必要となるから、以上の問題はさらに深刻化する。
【００５８】
第１実施形態においては、信号線１４の階調電位ＶDATAを容量Ｃ2の電極ｅ1に供給することで駆動トランジスタＴDRの電圧ＶGSを増加させるから、水平走査期間Ｈ[m]内にて信号線１４の電位を変化させる必要はない。すなわち、信号線駆動回路２４の動作に要求される速度を対比例２と比較して低減することが可能である。したがって、信号線駆動回路２４の構成の簡素化やコストの低減が実現され、さらには画像の高精細化が容易であるという利点もある。
【００５９】
＜Ｂ：第２実施形態＞
本発明の第２実施形態について説明する。なお、以下の各形態において作用や機能が第１実施形態と共通する要素については、以上と同じ符号を付して各々の詳細な説明を適宜に省略する。
【００６０】
図１３は、第２実施形態における画素回路ＰXaの回路図である。図１３に示すように、画素回路ＰXaにおいては、選択スイッチＱWRのゲートとスイッチＲ1のゲートとが走査線１２２に対して共通に接続される。すなわち、駆動回路２０は、選択スイッチＱWRとスイッチＲ1とを共通の走査信号ＧWR[m]で制御する。図３に示すように、第１実施形態における走査信号ＧWR[m]と制御信号ＧA[m]とは波形が共通するから、選択スイッチＱWRとスイッチＲ1とが共通の信号で制御される図１３の構成でも、画素回路ＰXは第１実施形態と同様に動作する。
【００６１】
また、図１３の画素回路ＰXaでは、初期化電位ＶRS1が供給される給電線３７と容量Ｃ2の電極ｅ1との間にスイッチＲ1が介在する。具体的には、初期化電位ＶRS1が供給される給電線３７が、スイッチＲ3を介して駆動トランジスタＴDRのゲートに接続されるとともにスイッチＲ1を介して容量Ｃ2の電極ｅ1に接続される。すなわち、初期化期間ＰRSおよび第１補償期間ＰCaにて駆動トランジスタＴDRのゲートに供給される初期化電位ＶRS1が、書込期間ＰWRおよび第１期間Ｐ1にて電極ｅ1に供給される基準電位ＶREFとして共用される。以上の構成においては、容量Ｃ2の電極ｅ1の電位ＶCが第２期間Ｐ2の始点にて初期化電位ＶRS1（基準電位ＶREF）から階調電位ＶDATAに変化する（ＶOF＝ＶDATA−ＶRS1）。したがって、駆動トランジスタＴDRの電圧ＶGSの変化量ＶBは初期化電位ＶRS1に依存するが、画素回路ＰXの基本的な動作は第１実施形態と同様である。
【００６２】
第２実施形態においても第１実施形態と同様の効果が実現される。また、第２実施形態においては、選択スイッチＱWRとスイッチＲ1とが共通の走査信号ＧWR[m]で制御されるから、図２の制御線１３２は不要である。したがって、選択スイッチＱWRとスイッチＲ1とが別個の信号（ＧWR[m]，ＧA[m]）で制御される第１実施形態と比較して、素子部１０内の配線数が削減されるという利点がある。
【００６３】
さらに、初期化期間ＰRSでの駆動トランジスタＴDRのゲートの電位ＶGの設定と第１期間Ｐ1での電極ｅ1の電位ＶCの設定とに初期化電位ＶRS1（基準電位ＶREF）が共用されるから、図２の給電線３５は不要である。したがって、給電線３５および給電線３７が個別に形成される第１実施形態と比較して、素子部１０内の配線数が削減されるとともに電位生成回路２６の動作や構成が簡素化されるという利点がある。なお、選択スイッチＱWRとスイッチＲ1とで走査線１２２を共用する構成と、第１期間Ｐ1での電位ＶCの設定に初期化電位ＶRS1を流用する構成とのうちの一方のみを採用してもよい。
【００６４】
＜Ｃ：第３実施形態＞
図１４は、第３実施形態に係る画素回路ＰXbの回路図である。図１４に示すように、画素回路ＰXbは、図２の画素回路ＰXにおけるスイッチＲ4を省略した構成である。したがって、第１実施形態における制御線１３８や給電線３９も省略される。
【００６５】
図１４に示すように、素子部１０には、各配線群１２とともにＸ方向に延在するＭ本の電位線３１が形成される。電位生成回路２６は、電位ＶX[1]〜ＶX[M]を生成して各電位線３１に出力する。図１５に示すように、第ｍ行の電位線３１に供給される電位ＶX[m]は、第ｍ行の初期化期間ＰRS（水平走査期間Ｈ[m]の直前の初期化期間ＰRS）にて初期化電位ＶRS2に設定され、当該初期化期間ＰRS以外の期間にて高位側電位ＶDDに設定される。
【００６６】
図１５に示すように、初期化期間ＰRSでは、発光制御信号ＧEL[m]がローレベルに設定されることで発光制御スイッチＱELがオン状態に制御されるから、電位生成回路２６から電位線３１に出力された初期化電位ＶRS2（電位ＶX[m]）が発光制御スイッチＱELを介して駆動トランジスタＴDRに供給される。したがって、初期化期間ＰRSでは、第１実施形態と同様に、駆動トランジスタＴDRのソースの電位ＶSが電位線３１の初期化電位ＶRS2に設定される。他方、駆動トランジスタＴDRのゲートの電位ＶGは、第１実施形態と同様に、給電線３７の初期化電位ＶRS1に設定される。なお、初期化期間ＰRS以外の各期間における動作は第１実施形態と同様である。
【００６７】
第３実施形態においても第１実施形態と同様の効果が実現される。また、第３実施形態では、電位線３１の電位ＶX[m]を初期化電位ＶRS2に設定することで駆動トランジスタＴDRのソースの電位ＶSが初期化されるから、図２の制御線１３８や給電線３９は不要である。したがって、第１実施形態と比較して素子部１０内の配線数が削減されるという利点がある。なお、図１４では、第１実施形態の画素回路ＰXを変形した構成を例示したが、第２実施形態（選択スイッチＱWRとスイッチＲ1とで走査線１２２を共用する構成や、第１期間Ｐ1での電位ＶCの設定に初期化電位ＶRS1を流用する構成）を第３実施形態に併合した構成も好適である。
【００６８】
＜Ｄ：変形例＞
以上の各形態には様々な変形が加えられる。具体的な変形の態様を以下に例示する。以下の例示から任意に選択された２以上の態様は併合され得る。
【００６９】
（１）変形例１  
以上の形態においては、書込期間ＰWRと第１期間Ｐ1とを別個の期間としたが、階調電位ＶDATAの供給で駆動トランジスタＴDRの電圧ＶGSを設定する（閾値電圧ＶTHから変化させる）動作と、駆動トランジスタＴDRの電圧ＶGSを移動度μに応じて変化させる動作とを、並行に実施する構成も採用される。例えば、図３や図１５の書込期間ＰWRを省略し、駆動トランジスタＴDRのゲートの電位ＶGを、第１期間Ｐ1の始点にて初期化電位ＶRS1から階調電位ＶDATAに変化させる。第１期間Ｐ1では発光制御スイッチＱELがオン状態に制御されるから、駆動トランジスタＴDRの電圧ＶGSは、第１期間Ｐ1の開始の直後に階調電位ＶDATA（変化量ΔＶ0）に応じて設定され、かつ、第１期間Ｐ1の終点にかけて移動度μに応じた電圧ΔＶ1だけ変化する。以上の構成によれば、独立の書込期間ＰWRが省略されるから、水平走査期間Ｈ[m]を短縮することが可能である。
【００７０】
（２）変形例２  
以上の各形態において、画素回路ＰXを構成する各トランジスタ（ＴDR，ＱWR，ＱEL，Ｒ1〜Ｒ4）の導電型は任意である。例えば、発光制御スイッチＱELをＮチャネル型とした構成や、駆動トランジスタＴDRをＰチャネル型とした構成も採用される。Ｐチャネル型の駆動トランジスタＴDRを採用した構成では、Ｎチャネル型の場合と比較して電圧の高低の関係は逆転するが、本質的な構成や動作は以上の各形態と同様であるから、具体的な構成や動作の説明は省略する。
【００７１】
なお、以上の各形態のように、複数の画素回路ＰXが行列状に配列された構成のもとで各画素回路ＰXを行単位で時分割に駆動する場合には、各画素回路ＰX内に選択スイッチＱWRが必要である。しかし、例えば複数の画素回路ＰXがＸ方向に沿って１列のみに配列された構成（例えば、電子写真方式の画像形成装置において感光体ドラムなどの像担持体を露光する露光装置）では、時分割による複数行の選択という動作が不要であるから、画素回路ＰX内の選択スイッチＱWRは不要となる。以上の例示から理解されるように、画素回路ＰXを構成する各スイッチは適宜に省略される。
【００７２】
（３）変形例３  
以上の各形態においては、駆動トランジスタＴDRの電圧ＶGSを保持する手段として容量Ｃ1を積極的に形成したが、例えば、駆動トランジスタＴDRのゲート−ソース間に付随する容量（例えばゲート容量や寄生容量）で電圧ＶGSが保持されるならば、容量Ｃ1は省略され得る。
【００７３】
（４）変形例４  
以上の各形態では発光素子Ｅに付随する容量Ｃ0を利用したが、図１６に示すように、発光素子Ｅとは別個に形成した容量ＣXを容量Ｃ0とともに利用する構成も好適である。容量ＣXの電極ｘ1は、駆動トランジスタＴDRと発光素子Ｅとを結ぶ経路上（駆動トランジスタＴDRのソース）に接続される。容量ＣXの電極ｘ2は、所定の電位が供給される配線（例えば電位線３３や給電線３９）に接続される。図１６の構成においては、駆動トランジスタＴDRの電圧ＶGS（ＶGS0，ＶGS1，ＶGS2）の設定に適用される容量値ｃp0が、容量ＣXと発光素子Ｅの容量Ｃ0との合計値となる。したがって、駆動電流ＩDRの基礎となる電圧（ＶGS0，ＶGS1，ＶGS2）を容量ＣXに応じて適宜に調整することが可能である。
【００７４】
（５）変形例５  
有機ＥＬ素子は発光素子Ｅの例示に過ぎない。例えば、無機ＥＬ素子やＬＥＤ（Light Emitting Diode）素子などの発光素子Ｅを配列した発光装置１００にも以上の各態様と同様に本発明が適用される。本発明における発光素子は、駆動電流の供給で駆動される（典型的には輝度が制御される）電流駆動型の被駆動素子である。
【００７５】
＜Ｅ：応用例＞
次に、以上の各態様に係る発光装置１００を利用した電子機器について説明する。図１７ないし図１９には、発光装置１００を表示装置として採用した電子機器の形態が図示されている。
【００７６】
図１７は、発光装置１００を採用したモバイル型のパーソナルコンピュータの構成を示す斜視図である。パーソナルコンピュータ２０００は、各種の画像を表示する発光装置１００と、電源スイッチ２００１やキーボード２００２が設置された本体部２０１０とを具備する。
【００７７】
図１８は、発光装置１００を適用した携帯電話機の構成を示す斜視図である。携帯電話機３０００は、複数の操作ボタン３００１およびスクロールボタン３００２と、各種の画像を表示する発光装置１００とを備える。スクロールボタン３００２を操作することによって、発光装置１００に表示される画面がスクロールされる。
【００７８】
図１９は、発光装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する発光装置１００とを備える。電源スイッチ４００２を操作すると、住所録やスケジュール帳といった様々な情報が発光装置１００に表示される。
【００７９】
なお、本発明に係る発光装置が適用される電子機器としては、図１７から図１９に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る発光装置の用途は画像の表示に限定されない。例えば、電子写真方式の画像形成装置において露光により感光体ドラムに潜像を形成する露光装置としても本発明の発光装置は利用される。
【符号の説明】
【００８０】
１００……発光装置、１０……素子部、ＰX……画素回路、ＴDR……駆動トランジスタ、ＱWR……選択スイッチ、ＱEL……発光制御スイッチ、Ｒ1〜Ｒ4……スイッチ、Ｃ0，Ｃ1，Ｃ2，ＣX……容量、Ｅ……発光素子、１２……配線群、１４……信号線、２０……駆動回路、２２……走査線駆動回路、２４……信号線駆動回路、２６……電位生成回路、３１，３３……電位線、３５，３７，３９……給電線、１２２……走査線、１２４……発光制御線、１３２，１３４，１３６，１３８……制御線。
【図１】
2010286541.tif 000003
【図２】
2010286541.tif 000004
【図３】
2010286541.tif 000005
【図４】
2010286541.tif 000006
【図５】
2010286541.tif 000007
【図６】
2010286541.tif 000008
【図７】
2010286541.tif 000009
【図８】
2010286541.tif 000010
【図９】
2010286541.tif 000011
【図１０】
2010286541.tif 000012
【図１１】
2010286541.tif 000013
【図１２】
2010286541.tif 000014
【図１３】
2010286541.tif 000015
【図１４】
2010286541.tif 000016
【図１５】
2010286541.tif 000017
【図１６】
2010286541.tif 000018
【図１７】
2010286541.tif 000019
【図１８】
2010286541.tif 000020
【図１９】
2010286541.tif 000021